(57)【要約】【課題】本発明の課題は、付箋紙を色々貼ってある帳票紙を識別し、添付された付箋紙に記入された情報を適切に管理可能にすることである。【解決手段】本発明は、ドットパターンを印刷された専用紙を帳票紙および付箋紙として用いる。これにより、電子ペンからの入力に従い帳票紙もしくは付箋紙のどちらに電子ペンによる記入が行なわれたかを引き出し線により判断し、付箋紙が帳票紙に添付され、付箋紙に情報が記入された事を判断することができる。そして、付箋紙の情報を帳票紙の情報に添付して表示することができる。【選択図】図８
2007334509.tif 000002
【特許請求の範囲】
【請求項１】
ドットパターンを光学的に読み取り、筆圧を検出するインクペンユニットを有する電子ペンから送信される情報により、前記ドットパターンを有する帳票紙上の前記電子ペンのペン先の位置座標を算出する座標提供手段を含む電子カルテ処理装置であって、
前記電子ペンから送信される情報により、前記帳票紙とは異なるドットパターンを有する付箋紙を識別する識別手段と、
前記座標提供手段から提供される位置座標により示される位置において、前記識別手段により付箋紙であるか否かを識別して付箋紙であると識別されるときは前記位置に付箋紙が添付されていると判定する添付判定手段とを備えたことを特徴とする電子カルテ処理装置。
【請求項２】
前記位置座標が、前記識別手段により付箋紙と識別される領域を連続して移動するときは、付箋紙に書き込まれていると判定する付箋紙書込判定手段をさらに備えることを特徴とする請求項１に記載の電子カルテ処理装置。
【請求項３】
前記識別手段によって、前記筆圧の変化により前記電子ペンのペン先が紙から離れることなく連続して、前記帳票紙から前記付箋紙に移動したときは、前記帳票紙と前記付箋紙とをまたいで引かれる引き出し線が書き込まれたと判定することを特徴とする請求項１または請求項２に記載の電子カルテ処理装置。
【請求項４】
前記引き出し線は、前記帳票紙へ添付して表示する情報の表示方法を変える複数のパターンを有することを特徴とする請求項３に記載の電子カルテ処理装置。
【請求項５】
前記座標提供手段により確定される前記帳票紙および前記付箋紙の位置座標に合わせて、前記付箋紙と前記帳票紙に記入された情報を同時に表示する全体表示手段をさらに備えることを特徴とする請求項１に記載の電子カルテ処理装置。
【請求項６】
前記付箋紙に記入された情報を前記帳票紙の特定の個所の特定事項として、前記電子カルテ処理装置のユーザの要求に応じて表示することを特徴とする請求項１に記載の電子カルテ処理装置。
【請求項７】
ドットパターンを光学的に読み取り、筆圧を検出するインクペンユニットを有する電子ペンから送信される情報により、前記ドットパターンを有する帳票紙上の前記電子ペンのペン先の位置座標を算出する座標提供ステップを含む電子カルテ処理方法であって、
前記電子ペンから送信される情報により、前記帳票紙とは異なるドットパターンを有する付箋紙を識別する識別ステップと、
前記座標提供ステップから提供される位置座標により示される位置において、前記識別ステップにより付箋紙であるか否かを識別して付箋紙であると識別されるときは前記位置に付箋紙が添付されていると判定する添付判定ステップとを備えたことを特徴とする電子カルテ処理方法。
【請求項８】
前記位置座標が、前記識別ステップにより付箋紙と識別される領域を連続して移動するときは、付箋紙に書き込まれていると判定する付箋紙書込判定ステップをさらに備えることを特徴とする請求項７に記載の電子カルテ処理方法。
【請求項９】
前記識別ステップによって、前記筆圧の変化により前記電子ペンのペン先が紙から離れることなく連続して、前記帳票紙から前記付箋紙に移動したときは、前記帳票紙と前記付箋紙とをまたいで引かれる引き出し線が書き込まれたと判定することを特徴とする請求項７または請求項８に記載の電子カルテ処理方法。
【請求項１０】
前記引き出し線は、前記帳票紙へ添付して表示する情報の表示方法を変える複数のパターンを有することを特徴とする請求項９に記載の電子カルテ処理方法。
【請求項１１】
前記座標提供ステップにより確定される前記帳票紙および前記付箋紙の位置座標に合わせて、前記付箋紙と前記帳票紙に記入された情報を同時に表示する全体表示ステップをさらに備えることを特徴とする請求項７に記載の電子カルテ処理方法。
【請求項１２】
前記付箋紙に記入された情報を前記帳票紙の特定の個所の特定事項として、前記電子カルテ処理方法のユーザの要求に応じて表示することを特徴とする請求項７に記載の電子カルテ処理方法。
【請求項１３】
コンピュータに請求項７乃至請求項１２に記載の情報処理方法を実行させるためのコンピュータプログラム。
【請求項１４】
コンピュータに読み出し可能なプログラムを搭載した記憶媒体であって、請求項１３に記載のコンピュータプログラムを格納したことを特徴とする記憶媒体。
【発明の詳細な説明】
【技術分野】
【０００１】
本発明は、電子ペンを利用して記入を行う帳票紙の情報に帳票紙に添付した付箋紙に電子ペンを利用して記入された情報を付加するための電子カルテ処理装置、電子カルテ処理方法、電子カルテ処理プログラムおよび電子カルテ処理プログラムを格納した記憶媒体に関する。
【背景技術】
【０００２】
手書きの文字や図形などのデータをデジタル化してパソコンやワープロなどに取り込むことを可能にする電子ペンの開発がなされ、実用化されている。このような電子ペン技術として、例えば特許文献１に記載の技術がある。この技術では、ドットパターンが印刷された特殊な専用紙（以下、単に専用紙という。）を用いて、電子ペンを使って専用紙上に書き込まれた文字および図形の軌跡をベクトル化して保存し送信できる。
【０００３】
この技術は、特許文献１に開示されているように、カルテ管理システムにおいて利用されている。特許文献１のカルテ管理システムでは、事前にドットパターンを印刷した専用紙を用意し、この専用紙に帳票紙（カルテ）のフォーマットを印刷し、作業者が電子ペンでこの帳票紙に情報を記入する。そして、電子ペンの軌跡をデジタルデータとして送信し、電子ペンの軌跡をデジタル情報として利用する事が行われる。
【０００４】
【特許文献１】特開２００４−５４３７５号公報
【発明の開示】
【発明が解決しようとする課題】
【０００５】
このような従来技術のみを利用して、専用紙を帳票紙として運用し、帳票紙に記入された情報をデジタル化しようとするときに無理が生じる場合がある。なぜなら、医師等が帳票紙に記載する情報は、健忘禄、看護婦への指示など多義にわたり、こういった情報を付箋紙に記入して、帳票紙に貼り付けるケースが多々ある。しかしながら、医療現場で実際に用いられている付箋紙を色々貼ってある帳票紙をデジタル化して記録することは、容易ではない。
【０００６】
そこで、本発明は、付箋紙を色々貼ってある帳票紙を識別し、添付された付箋紙に記入された情報を適切に管理する手段を提供することを目的とする。
【課題を解決するための手段】
【０００７】
上記目的を達成するために本発明の電子カルテ処理装置は、ドットパターンを光学的に読み取り、筆圧を検出するインクペンユニットを有する電子ペンから送信される情報により、ドットパターンを有する帳票紙上の電子ペンのペン先の位置座標を算出する座標提供手段を含む電子カルテ処理装置であって、電子ペンから送信される情報により、帳票紙とは異なるドットパターンを有する付箋紙を識別する識別手段と、座標提供手段から提供される位置座標により示される位置において、識別手段により付箋紙であるか否かを識別して付箋紙であると識別されるときはその位置に付箋紙が添付されていると判定する添付判定手段とを備えたことを特徴とする。
【０００８】
また、本発明の電子カルテ処理方法は、ドットパターンを光学的に読み取り、筆圧を検出するインクペンユニットを有する電子ペンから送信される情報により、ドットパターンを有する帳票紙上の電子ペンのペン先の位置座標を算出する座標提供ステップを含む電子カルテ処理方法であって、電子ペンから送信される情報により、帳票紙とは異なるドットパターンを有する付箋紙を識別する識別ステップと、座標提供ステップから提供される位置座標により示される位置において、識別ステップにより付箋紙であるか否かを識別して付箋紙であると識別されるときはその位置に付箋紙が添付されていると判定する添付判定ステップとを備えたことを特徴とする。
【発明の効果】
【０００９】
本発明によれば、付箋紙を色々貼ってある帳票紙を識別し、添付された付箋紙に記入された情報を適切に管理することができる。
【発明を実施するための最良の形態】
【００１０】
（第１の実施形態）
以下、図面を参照して本発明の好適な実施の形態について説明する。まず始めに、本発明において入力デバイスとして使用される電子ペンの使用形態の概要について説明する。
【００１１】
図１は電子ペンの使用形態を模式的に示す図である。
【００１２】
本システムでは、病院１０１、印刷業者１０２、座標サービスサーバ１０３からなり、それぞれはインターネット１０４を経由して情報を交換できる。
【００１３】
印刷業者１０２には専用紙印刷システム１０６があり、座標サービスサーバ１０３から取得したドットパターンを取得し、そのパターンを帳票紙２０や付箋紙２１をプリンタ１０７から印刷し、病院１０１に納品している。なお、振り出したドットパターンは座標データベース１０８に記憶されている。
【００１４】
病院１０１には、電子カルテ処理装置１０５と電子ペン、及び帳票紙２０や付箋紙２１を使い医療行為の情報を電子的に入力する。
【００１５】
電子ペン１０は、ドットパターンが印刷された専用紙である帳票紙２０や付箋紙２１と組み合わせて使用される。電子ペン１０は、通常のインクペンと同様のペン先部１７を備えており、医師等は通常のインクペンと同様に帳票紙２０や付箋紙２１上に文字などを書くことになる。電子ペン１０は、座標データを電子カルテ処理装置１０５に送り、電子カルテ処理装置１０５は、絶対座標を座標サービスサーバ１０３に問い合わせ、帳票のサイズ、罫線の配置、及びドットの配置を取得する。
【００１６】
図２は電子ペンの構造を示す機能ブロック図である。
【００１７】
電子ペン１０は、その内部にプロセッサ１１、メモリ１２、データ通信ユニット１３、バッテリー１４、赤外線ＬＥＤ１５、カメラ１６及び圧力センサ１８を備える。また、電子ペン１０は通常のインクペンと同様の構成要素としてインクカートリッジ（不図示）などを有する。
【００１８】
電子ペン１０は、ペン先部１７により専用紙上に描かれたインクの軌跡をデータ化するのではなく、専用紙上で電子ペン１０が移動した軌跡座標をデータ化する。赤外線ＬＥＤ１５が帳票紙２０上のペン先部１７近傍を照明しつつ、カメラ１６が帳票紙２０に印刷されているドットパターンを読み取り、データ化する。つまり、電子ペン１０は帳票紙２０上で利用者が電子ペン１０を移動させることにより生じるストロークを画像データ又はベクトルデータとして取得することができる。
【００１９】
圧力センサ１８は、利用者が電子ペン１０により専用紙上に文字などを書く際にペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。即ち、利用者が電子ペン１０で帳票紙２０上に文字などを書くと、ペン先部１７には筆圧がかかる。よって、所定値以上の筆圧が検出されたときに、利用者が記述を開始したと判定して、赤外線ＬＥＤ１５及びカメラ１６を作動する。
【００２０】
カメラ１６は帳票紙２０上のドットパターンを読み取り、そのパターンデータをプロセッサ１１に供給する。プロセッサ１１は、供給されたドットパターンから、帳票紙２０上でのＸ／Ｙ座標を算出する。
【００２１】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２２】
利用者により送信指示がなされるまでは、取得された全てのデータはメモリ１２内に保持される。そして、利用者が送信指示を行うと、データ通信ユニット１３により、電子ペン１０と所定距離内にある端末装置（不図示）へメモリ１２内のデータが送信される。基本的には、一度送信指示がなされると、電子ペン１０はメモリ１２内に記憶していた全てのデータを端末装置へ送信するため、メモリ１２内はクリアされる。その後、電子ペン１０の移動が検出されれば、逐次データを送信する。
【００２３】
電子ペン１０自体は、送信ボタンなどの機能ボタンを備えておらず、送信指示は端末装置からの指示で行う。また、電子ペン１０はディスプレイやボタンなどを持たないが、データの送信完了を電子ペンの振動により示すこともできる。
【００２４】
バッテリー１４は電子ペン１０内の各要素に電源供給するためのものであり、例えば電子ペンのキャップ（図示せず）により電子ペン１０自体の電源のオン／オフを行うことができる。
【００２５】
このように、電子ペン１０は利用者が帳票紙２０上に記述した文字などに対応する座標データ及び筆圧データを取得する。そして、近傍の端末装置へ送信する機能を有するが、電子ペン１０のペン先部１７は通常のインクペンとなっているため、帳票紙２０上に記述した内容はオリジナルの原本として残るという特徴がある。即ち、紙の原本に対して記述するのと同時に、その内容を座標データなどの形態でリアルタイムに電子化することができる。
【００２６】
なお、電子ペン１０の標準機能によれば、電子ペン１０により得られるデータは、原則として座標データ又はベクトルデータの形態であり、テキストデータではない。
【００２７】
また、電子ペン１０内には、ペン自体及びその所有者に関するプロパティ情報（ペン情報及びペン所有者情報）を保持することができ、アプリケーションから参照することができる。
【００２８】
なお、上記の例におけるデータ通信ユニット１３では、Ｂｌｕｅｔｏｏｔｈの無線伝送、ＵＳＢケーブルを使用した有線伝送、端子などの接触によるデータ伝送など、各種の方法によって電子ペン１０から端末装置へのデータ送信を行う。
【００２９】
図３は、専用紙に印刷されたドットパターンによる情報の表現方法を説明する図である。
【００３０】
図３に例示するようにドットパターンは、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用紙上の位置座標が決定される。
【００３１】
図４は、ドットパターン及びそれに対応する情報の例を示す。
【００３２】
図４（ａ）に例示するように、縦横２ｍｍの範囲内に３６個のドットが格子状に配置され、これらのドットにより示されるデータの配列（図４（ｂ））が、その専用紙上の位置座標と対応付けされている。そのため、電子ペンのペン先が専用紙空間上のどの位置にいるかその絶対座標を正確に特定することができる。専用紙空間の大きさは約6千万平方キロメートルにおよぶが、この広大な専用紙空間の中から任意の６×６ドットの領域を切り出したとき、1つとして重複するものがないことが数学的に保証されている。
【００３３】
電子ペン１０のカメラ１６は、図４（ａ）に示すようなドットパターンを撮影する。そして、プロセッサ１１はカメラ１６から入力されるドットパターンのデータに基づいて図４（ｂ）に示すデータ配列を取得する。そして、それに対応する専用紙上の位置座標（即ち、そのドットパターンがその専用紙上のどの位置にあるのか）をリアルタイムで算出する。なお、ドットパターンを認識する最小単位は２ｍｍ×２ｍｍであり、カメラ１６は毎秒１００回程度の撮影を行う。
【００３４】
次に、専用紙について説明する。専用紙である帳票紙２０および付箋紙２１は、ドットパターンが印刷され、その上に罫線が印刷されている。台紙は通常は紙であり、ドットパターンは前述のようにカーボンを含んだ専用インキにより印刷される。また、通常のインキなどにより帳票紙用の罫線が印刷される。ドットパターンと図案とは同時に印刷してもよいし、いずれかを先に印刷してもよい。なお、付箋紙２１の裏面にはのりが添付されており、帳票紙に１枚１枚張ることが可能となっている。
【００３５】
ドットパターンの割り当ては、通常、アプリケーション（用紙の種類）毎に行われる。本実施形態の場合、帳票紙及び付箋紙に割り当てる。帳票紙では、特定の枚数を１グループ（例えば１０枚）としその中でユニークになるよう割り当てをし、付箋紙においては付箋紙の束（５０枚）において付箋紙１枚ごとに個別に割り当てている。よって、医師等が電子ペン１０で必要事項を入力すると、その入力事項がその帳票カルテに対するものであるかを、また、付箋紙に対するものかを紙上の座標データから特定することができる。帳票紙には罫線を印刷する。したがって、ドットパターンと上下左右の位置関係等や罫線と関係は印刷時に管理し、帳票のサイズ、罫線の配置情報を座標サービスサーバ１０３へ送付する。座標サービスサーバ１０３は、帳票紙のサイズ、罫線の配置情報及びドットの配置を関連つけて管理する。
【００３６】
上記の例では、ドットパターンは専用紙上にカーボンを含むインキにより印刷されているが、プリンタ及びカーボンを含むインクを使用してドットパターンを通常の紙上にプリントすることも可能である。さらに、専用紙上の図案も印刷ではなく、プリンタにより形成することも可能である。ドットパターンをプリンタにより専用紙上に形成する場合には、１枚１枚に異なるドットパターンを形成することが可能である。よって、形成されたドットパターンの違いにより、それらの専用紙１枚１枚を識別し、区別することが可能となる。
【００３７】
なお、本明細書においては、「印刷」の語は、通常の印刷のみならず、プリンタによるプリントも含む概念とする。また、印刷業者１０２の機能を病院１０１にもたせ、医療機関内部で帳票紙の印刷を行っても良い。
【００３８】
図５は、電子カルテ処理装置１０５における医療行為の情報を入力するときの動作を示すフロー図である。
【００３９】
医師等は、電子カルテ処理装置１０５の電子カルテ処理プログラムを起動する（Ｓ５０１）。次に患者情報を設定すると、電子カルテ処理装置１０５はあらかじめ受け付け等で入力された基本データが表示される。例えば、基本データは、患者氏名、性別、受付番号、初診日などである。そして、診療の開始を及び所見のデータ入力開始を電子カルテ処理装置１０５が指示する（Ｓ５０２）。
【００４０】
医師等は、受付より回されてきた帳票紙２０に電子ペン１０や付箋紙２１を使い医療行為の情報を電子的に入力する（Ｓ５０３）。
【００４１】
医師等の診療が終了したら、電子カルテ処理装置１０５に対して入力終了の指示をまち、指示された場合、医療行為の情報の入力を終了する（Ｓ５０４）。
図６は、帳票紙２０に電子ペン１０や付箋紙２１を使い医療行為の情報を電子的に入力する概観を示す図である。
【００４２】
帳票紙２０には患者の基本情報及び所見等を含む医療行為の情報を記載する欄６０２があらかじめ印刷されている。医師等はこの欄に従って所見６０３を記載する。また特記事項が生じたときに情報を記載する場合、付箋紙２１を帳票紙２０に添付し記入する。そのとき、添付したことを示すために、帳票紙２０と付箋紙２１とをまたぐ引き出し線６０４を引いて示す。なお、基本情報をあらかじめ受付にて記載しても良い。
【００４３】
図７は、第１の実施形態における帳票紙２０、電子ペン１０および付箋紙２１を使い医療行為の情報を電子的に入力した電子カルテ処理プログラムが表示する画面の一例を示した図である。
【００４４】
この画面は、循環器科のカルテ（レポート）のレイアウトを示す。患者基本情報は、受付にて入力され、診断機器により得られたデータは直接測定機器、もしくは担当のものによって入力される。医師等はこれらデータを見つつ、患者を診断して帳票紙２０に所見を記載する。
【００４５】
符号７０２は、医師等が入力したもしくはしている所見が電子的に表示されるエリアを示している。
【００４６】
既に過去入力されたデータは上方に表示され、帳票紙２０に記載した当日の所見は下部７０４に表示される。
【００４７】
特記事項が生じたときに医師等が情報を記載した場合、添付したことを示すために帳票紙２０と付箋紙２１とをまたぐ引き出し線６０４を引いて示したのち、新たなレイヤー７０３として追加情報が表示される。なお、追加したことを示す引き出し線６０４は表示されない。
【００４８】
図８は、電子カルテ処理プログラムの処理を示す図である。
【００４９】
医師等は、受付より回されてきた帳票紙２０に電子ペン１０や付箋紙２１を使い医療行為の情報を通常の筆記用具と同じ態様で記載する。電子ペン１０は記載された情報を内蔵するカメラから位置情報を検出し、その位置情報を電子カルテ処理装置１０５に送信する。電子カルテ処理プログラムは位置情報が既知のシートのものであるか否かを判断する（Ｓ８０1）。受信したデータの座標データを、座標サービスサーバ１０３に問い合わせ帳票紙２０および付箋紙２１等のシートと座標を確定する（Ｓ８０２）。
【００５０】
次に、付箋紙２１と帳票紙２０とを関係つけるための消しこみフラグを“0”にセットする（Ｓ８０３）。また、Ｓ８０１にて電子カルテ処理装置１０５が既に認識している座標データの場合はこの処理Ｓ８０３を行う。
【００５１】
送信されてきた座標データが帳票紙２０か付箋紙２１かを判断する（Ｓ８０４）。再度電子ペンの座標が帳票紙２０であるかを判断する（Ｓ８０６）。連続して帳票紙２０への入力が確定したと判断した場合、帳票紙２０と判断し、カルテ（レポート）のレイアウト７０１の下部７０４に所見が追記される。電子ペン１０が帳票紙２０から離れたと判断する（Ｓ８０８）までデータの入力を続ける。
【００５２】
一方、Ｓ８０４にて付箋紙２１を判断した場合、再度ペンの座標が付箋紙２１であるかを判断する（Ｓ８１５）。連続して付箋紙２１への入力が確定したと判断した場合、付箋紙２１と判断し、カルテ（レポート）のレイアウト７０１に追加された付箋紙に記載されたデータとして記憶される。電子ペン１０が付箋紙２１から離れたと判断する（Ｓ８１７）までデータの入力を続ける。
【００５３】
Ｓ８０６及びＳ８１５にて帳票紙２０以外と判断した場合、電子カルテ処理プログラムは位置情報が既知のシートのものであるか否かを判断する（Ｓ８０９）。受信したデータの座標データを、座標サービスサーバ１０３に問い合わせ帳票紙２０および付箋紙２１等のシートと座標を確定する（Ｓ８１０）。
【００５４】
付箋紙２１と帳票紙２０との間で連続してペンが移動したかを座標データ及び圧力センサの変動によって判断する（Ｓ８１１）。連続移動と判断した場合、消しこみフラグを“１”にセットする（Ｓ８１２）。次に、付箋紙２１と帳票紙２０のシートを判断し、シートの種類に従って、処理Ｓ８０７もしくはＳ８１６を行う。
【００５５】
Ｓ８０８もしくはＳ８１７にて紙面から電子ペン１０が離れたと判断した場合、消しこみフラグの状態を見る（Ｓ８１８）。ペンが帳票紙２０と付箋紙２１を連続して移動したことを判断できるので、引き出しを示す引き出し線６０４の情報を記載データから引き出しマークとして記載データからデータを消しこむ。また、帳票紙２０と付箋紙２１との位置関係を確定する。また、帳票紙２０と付箋紙２１との関連つけをせず、付箋紙２１に記載していたデータがある場合は、カルテ（レポート）のレイアウト７０１に追加された付箋紙に記載されたデータとして表示する。
【００５６】
なお、付箋紙２１自体は上下関係の情報をもたないが、帳票紙２０と付箋紙２１との関連付けを行う際に判明する。
【００５７】
（第２の実施形態）
第１の実施形態では、付箋紙２１が単に帳票紙２０に添付した場合に関して説明したが、他の実施形態として、特定の記載事項について注を付することについて説明する。基本的な構成は第１の実施形態と同様である。以下で、構成が異なるポイントについて説明する。
【００５８】
図９は、第２の実施形態における帳票紙２０に電子ペン１０や付箋紙２１を使い医療行為の情報を電子的に入力する概観を示す図である。
【００５９】
医師等はこの欄に従って所見６０３を記載する。このとき、記載事項に関し特記事項が生じたときに情報を記載する場合、付箋紙２１を紙面紙２０に添付し記入する。その際、特記事項と記載事項を関連つけることを示すために記載事項に丸印９０１をつけ、帳票紙２０と付箋紙２１とをまたぐ線９０２を引いて示す。この関連つける方法は、あらかじめ設定された記入方法による。したがって、線９０２は、アンダーライン及び矢印等の引き出し線でもよい。
【００６０】
図１０は、第２の実施形態における帳票紙２０、電子ペン１０および付箋紙２１を使い医療行為の情報を電子的に入力した電子カルテ処理プログラムが表示する画面の一例を示した図である。
【００６１】
記載事項に関し特記事項が生じたときに情報を記載された場合、先の帳票紙２０にマルをつけられた記載事項は赤文字（図示せず）にて表示する。カーソル１００１をこの赤文字にちかづけ、コメント表示をさせると、特記事項１００２をポップアップ表示する。
【００６２】
なお、表示の仕方は、特定の操作例えばマウスの右クリックとか、自動的にマウスのカーソルを近づけたら自動的にポップアップする等の手段でも良い。
【００６３】
図１１は、電子カルテ処理プログラムの処理のＳ８１９に関する第２の実施形態の処理を示す図である。
【００６４】
Ｓ８０８もしくはＳ８１７にて紙面から電子ペン１０が離れたと判断した場合、消しこみフラグの状態を見る（Ｓ８１８）。ペンが帳票紙２０と付箋紙２１を連続して移動したことを判断できるので、移動を示した線を消しこむ処理を行う。
【００６５】
このときの処理を以下で詳しく説明する。
【００６６】
先に特定の引き出し線のパターンを検索する（Ｓ１１０１）。本実施形態の場合、楕円、丸印、及び引き出し線等である。特定引き出し線が登録情報と一致するかを判断する（Ｓ１１０２）。
【００６７】
判断Ｓ１１０２にて、単に引き出し線として判断した場合は、帳票紙２０と付箋紙２１との位置関係を確定する。また、帳票紙２０と付箋紙２１との関連つけをせず、付箋紙２１に記載していたデータがある場合は、カルテ（レポート）のレイアウト７０１に追加された付箋紙に記載されたデータとしてレイヤー表示する（Ｓ１１０４）。
【００６８】
一方、特定項目に対して付化された情報と判断した場合、引き出しを示す引き出し線６０４の情報を記載データから引き出しマークとして記載データからデータを消しこむ。したがって、追加したことを示す引き出し線６０４は表示されない。
【００６９】
記載事項に関し特記事項が生じたときに情報を記載された場合、引き出しを示す丸印９０１と線９０２の情報を記載データから引き出しマークとして記載データからデータを消しこむ。先の帳票紙２０にマルをつけられた記載事項は赤文字にて表示される。カーソル１００１をこの赤文字にちかづけ、コメント表示をさせると、特記事項１００２をポップアップ表示する（Ｓ１１０３）。したがって、追加したことを示す丸印９０１と線９０２は表示されない。
【００７０】
（他の実施形態）
以上、本発明の実施形態について詳述したが、本発明は、複数の機器からなる装置に適用しても良いし、また、一つの機器からなる装置に適用しても良い。
【００７１】
なお、本発明の前述した実施形態の機能を実現するソフトウェアのプログラムを、システムあるいは装置に直接あるいは遠隔から供給してもよい。その際、そのシステムあるいは装置のコンピュータが該供給されたプログラムコードを読み出して実行することによっても達成される場合を含む。その場合、プログラムの機能を有していれば、形態は、プログラムである必要はない。
【００７２】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００７３】
その場合、プログラムの機能を有していれば、オブジェクトコード、インタプリタにより実行されるプログラム、ＯＳに供給するスクリプトデータ等、プログラムの形態を問わない。
【００７４】
プログラムを供給するための記録媒体としては、以下のようなものがある。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００７５】
本発明のコンピュータプログラムそのもの、もしくは圧縮され自動インストール機能を含むファイルをハードディスク等の記録媒体にダウンロードすることによっても供給できる。ダウンロードの方法として、クライアントコンピュータのブラウザを用いてインターネットのホームページに接続し、該ホームページからダウンロードしても良い。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００７６】
また、本発明のプログラムを暗号化してＣＤ−ＲＯＭ等の記憶媒体に格納してユーザに配布してもよい。そして、所定の条件をクリアしたユーザに対し、インターネットを介してホームページから暗号化を解く鍵情報をダウンロードさせることができる。ユーザは、その鍵情報を使用することにより暗号化されたプログラムを実行してコンピュータにインストールさせて本発明を実現することも可能である。
【００７７】
上記の実施形態では、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７８】
また、記録媒体から読み出されたプログラムは、コンピュータに挿入された機能拡張ボードやコンピュータに接続された機能拡張ユニットに備わるメモリに書き込まれてもよい。その後、そのプログラムの指示に基づき、その機能拡張ボードや機能拡張ユニットに備わるＣＰＵなどが実際の処理の一部または全部を行い、その処理によっても前述した実施形態の機能が実現される。
【００７９】
なお、ドットパターンはカーボンを含む専用インキなどで印刷されており、カメラはその専用インキによるパターンのみを認識することができる。専用インキ以外のインキ（カーボンを含まない）により、専用紙上に罫線や枠などを印刷しても、電子ペンはそれらを認識することはない。よって、専用紙を利用して各種申込書などの帳票紙を作成する際は、専用インキ以外のインキで入力枠や罫線、注意書きなどを印刷することもできる。
【図面の簡単な説明】
【００８０】
【図１】電子ペンの使用形態を模式的に示す図である。
【図２】電子ペンの構造を示す機能ブロック図である
【図３】専用紙に印刷されたドットパターンによる情報の表現方法を説明する図である。
【図４】ドットパターン及びそれに対応する情報の例を示す。
【図５】電子カルテ処理装置１０５における医療行為の情報を入力するときの動作を示すフロー図である。
【図６】帳票紙２０に電子ペン１０や付箋紙２１を使い医療行為の情報を電子的に入力する概観を示す図である。
【図７】帳票紙２０に電子ペン１０や付箋紙２１を使い医療行為の情報を電子的に入力した電子カルテ処理プログラムが表示する画面の一例を示した図である。
【図８】電子カルテ処理プログラムの処理を示す図である。
【図９】第２の実施形態における帳票紙２０に電子ペン１０や付箋紙２１を使い医療行為の情報を電子的に入力する概観を示す図である。
【図１０】第２の実施形態における帳票紙２０、電子ペン１０および付箋紙２１を使い医療行為の情報を電子的に入力した電子カルテ処理プログラムが表示する画面の一例を示した図である。
【図１１】電子カルテ処理プログラムの処理のＳ８１９に関する第２の実施形態の処理を示す図である。
【符号の説明】
【００８１】
１０  電子ペン
１１  プロセッサ
１２  メモリ
１３  データ通信ユニット
１４  バッテリー
１５  赤外線ＬＥＤ
１６  カメラ
１８  圧力センサ
２０  帳票紙
２１  付箋紙
１０１  病院
１０２  印刷業者
１０３  座標サービスサーバ
１０４  インターネット
１０５  電子カルテ処理装置
１０６  専用紙印刷システム
１０７  プリンタ
１０８  座標データベース
６０２  医療行為の情報を記載する欄
６０３  所見
６０４  引き出し線
７０１  カルテ（レポート）のレイアウト
７０２  エリア
７０３  新たなレイヤー
７０４  下部
９０１  丸印
９０２  線
１００１  カーソル
１００２  特記事項
【図１】
2007334509.tif 000003
【図２】
2007334509.tif 000004
【図３】
2007334509.tif 000005
【図４】
2007334509.tif 000006
【図５】
2007334509.tif 000007
【図６】
2007334509.tif 000008
【図７】
2007334509.tif 000009
【図８】
2007334509.tif 000010
【図９】
2007334509.tif 000011
【図１０】
2007334509.tif 000012
【図１１】
2007334509.tif 000013